(57)【要約】【課題】内フラップを外フラップに対してより確実に係合させることができる再封止可能な包装箱を提供する。【解決手段】包装箱５０は、胴部を構成するように帯状に連なった４つの側面１０、１２、１４、１６と、該胴部の両側の開口部を塞ぐ２つの端面とを有する。上部側の端面は、対向する一対の内フラップ２０、２２及び対向する一対の外フラップ２４、２６で構成される。内フラップ２２は、その先端側の辺の中央部に配置された第１把持片２２２と、該中央部の両側に配置された一対の第２把持片２２４、２２６とを有する。第１把持片２２２は、先端側の辺から側面に向かうに従って幅が狭くなった部分を含む耳部を両側に有する。包装箱５０は、耳部を一対の外フラップ２４、２６の対向部分に引っ掛けることによって箱状態が維持される。【選択図】図２
2007069955.tif 000002
【特許請求の範囲】
【請求項１】
胴部を構成するように帯状に連なった４つの側面と、前記胴部の両側の開口部を塞ぐ２つの端面とを有し、各端面が対向する一対の内フラップ及び対向する一対の外フラップで構成された包装箱であって、
少なくとも１つの前記内フラップは、その先端側の辺の中央部に配置された第１把持片と、前記中央部の両側に配置された一対の第２把持片とを有し、前記第１把持片は、前記先端側の辺から前記側面に向かうに従って幅が狭くなった部分を含む耳部を両側に有し、
前記耳部を前記一対の外フラップの対向部分に引っ掛けることによって箱状態が維持される、
ことを特徴とする包装箱。
【請求項２】
前記一対の第２把持片は、前記先端側の辺から前記側面に向かうに従って幅が広がっていることを特徴とする請求項１に記載の包装箱。
【請求項３】
前記第１把持片と前記一対の第２把持片とが切欠によって区切られていることを特徴とする請求項１又は２に記載の包装箱。
【請求項４】
前記内フラップは、前記切欠の深部から前記側面に向かって折目線を有することを特徴とする請求項１乃至３のいずれか１項に記載の包装箱。
【請求項５】
前記外フラップが連なった前記側面を横切って折込線が形成されていることを特徴とする請求項１乃至４のいずれか１項に記載の包装箱。
【請求項６】
前記第１把持片の最大幅と最小幅との差が６ｍｍ以上であることを特徴とする請求項１乃至５のいずれか１項に記載の包装箱。
【請求項７】
胴部を構成するように帯状に連なった４つの側面と、前記胴部の両側の開口部を塞ぐ２つの端面とを有し、各端面が対向する一対の内フラップ及び対向する一対の外フラップで構成される包装箱材であって、
少なくとも１つの前記内フラップは、その先端側の辺の中央部に配置された第１把持片と、前記中央部の両側に配置された一対の第２把持片とを有し、前記第１把持片は、前記先端側の辺から前記側面に向かうに従って幅が狭くなった部分を含む耳部を両側に有し、
前記耳部を前記一対の外フラップの対向部分に引っ掛けることによって箱状態を維持することができるように構成された、
ことを特徴とする包装箱材。
【発明の詳細な説明】
【技術分野】
【０００１】
本発明は、包装箱及び包装箱材に係り、例えば、ビール、発泡酒、清涼飲料等の飲料製品の包装に好適な包装箱及び包装箱材に関する。
【背景技術】
【０００２】
ビール、発泡酒、清涼飲料等の飲料製品は、包装箱に収容されて提供されうる。このような用途に使用される包装箱として、胴部を構成するように帯状に連なった４つの側面と、胴部の両側の開口部を塞ぐ２つの端面とを有し、各端面が対向する一対の内フラップ及び対向する一対の外フラップで構成されたものが知られている。
【０００３】
典型的には、外フラップは、内フラップに糊付けされていて、包装箱の開封の際に内フラップから剥がされる。一般的な包装箱では、外フラップが内フラップから一旦剥がされると、テープや糊で内フラップに再び貼り付けられない限り、開封されたままとなる。
【０００４】
特許文献１には、開封後に糊付けなしで再封止することができる包装箱が開示されている。特許文献１に開示された包装箱では、一対の外フラップの対向部分に形成される係合切欠け受部に内フラップの係合片を差し込むことによって内フラップが外フラップに固定されて包装箱が再封止される。ここで、内フラップの係合片は、内フラップの先端部から内部（付け根側）に向かって幅が広がっていて、係合片が一対の外フラップの対向部分に形成された係合切欠き受け部に差し込まれたときに、一対の外フラップが互いに離隔する方向に力が作用する。
【特許文献１】特開２００４−９９０７４号公報
【発明の開示】
【発明が解決しようとする課題】
【０００５】
図１１は、一般的な包装箱を開封した状態を示す図である。包装箱１００は、胴部を構成するように帯状に連なった４つの側面１１０、１１２、１１４、１１６と、胴部の両側の開口部を塞ぐ２つの端面とを有する。上方側の端面は、対向する一対の内フラップ１２０、１２２の外側の面に対向する一対の外フラップ１２４、１２６を糊付けすることによって構成される。包装箱１００は、図１１に示すように、外フラップ１２４、１２６を内フラップ１２０、１２２から剥がすことによって開封される。
【０００６】
最近では、包装箱１００からの内容物の取り出しを容易にするために、外フラップ１２４を側方に引っ張ることによって、側面１１０の一部（扉部）１１０ａを開くことができる包装箱が登場している。扉部１１０ａは、側面１１０を横切るように形成された折込線１１０ｂをヒンジ部として手前側に開かれる。
【０００７】
特許文献１に記載された包装箱は、図１１に例示的に示すような扉開きが可能な包装箱の再封止には対応していない。扉部１１０ａが開かれた後は、一対の外フラップ１２４、１２６を閉じたとしても、扉部１１０ａに連なった外フラップ１２４が側方に開こうとする。したがって、特許文献１のような先端側が狭く付け根側が広い台形形状の係合片で再封止を行う包装箱では、扉部を一旦開いてしまうと、一対の外フラップの対向部分に形成された係合切欠き受け部に係合片を差し込んだとしても、外フラップが側方に開いてしまう。そのために外フラップと内フラップとを係合させることができず、再封止し難い。
【０００８】
本発明は、上記の課題認識を基礎としてなされたものであり、例えば、内フラップを外フラップに対してより確実に係合させることができる再封止可能な包装箱又は包装箱材を提供することを目的とする。
【課題を解決するための手段】
【０００９】
本発明の包装箱は、胴部を構成するように帯状に連なった４つの側面と、前記胴部の両側の開口部を塞ぐ２つの端面とを有し、各端面が対向する一対の内フラップ及び対向する一対の外フラップで構成される。ここで、少なくとも１つの前記内フラップは、その先端側の辺の中央部に配置された第１把持片と、前記中央部の両側に配置された一対の第２把持片とを有する。前記第１把持片は、前記先端側の辺から前記側面に向かうに従って幅が狭くなった部分を含む耳部を両側に有する。前記耳部を前記一対の外フラップの対向部分に引っ掛けることによって箱状態が維持される。
【００１０】
本発明の好適な実施形態によれば、前記一対の第２把持片は、前記先端側の辺から前記側面に向かうに従って幅が広がっていることが好ましい。
【００１１】
本発明の好適な実施形態によれば、前記第１把持片と前記一対の第２把持片とが切欠によって区切られていることが好ましい。
【００１２】
本発明の好適な実施形態によれば、前記内フラップは、前記切欠の深部から前記側面に向かって折目線を有することが好ましい。
【００１３】
本発明の好適な実施形態によれば、前記外フラップが連なった前記側面を横切って折込線が形成されていることが好ましい。
【００１４】
本発明の好適な実施形態によれば、前記第１把持片の最大幅と最小幅との差が６ｍｍ以上であることが好ましい。
【００１５】
本発明の包装箱材は、胴部を構成するように帯状に連なった４つの側面と、前記胴部の両側の開口部を塞ぐ２つの端面とを有し、各端面が対向する一対の内フラップ及び対向する一対の外フラップで構成される。ここで、少なくとも１つの前記内フラップは、その先端側の辺の中央部に配置された第１把持片と、前記中央部の両側に配置された一対の第２把持片とを有する。前記第１把持片は、前記先端側の辺から前記側面に向かうに従って幅が狭くなった部分を含む耳部を両側に有する。前記包装箱材は、前記耳部を前記一対の外フラップの対向部分に引っ掛けることによって箱状態を維持することができるように構成されている。
【発明の効果】
【００１６】
本発明によれば、例えば、内フラップを外フラップに対してより確実に係合させることができる再封止可能な包装箱又は包装箱材を提供することができる。
【発明を実施するための最良の形態】
【００１７】
以下、添付図面を参照しながら本発明の好適な実施形態を説明する。
【００１８】
図８は、本発明の好適な実施形態の包装箱材を概略的に示す図である。図１〜図６は、図８に示す包装箱材で構成される包装箱の開封操作と再封止操作を説明するための図である。なお、図１〜図６において、包装箱の内容物は省略されている。
【００１９】
包装箱又は包装箱材５０は、胴部を構成するように帯状に連なった４つの側面１０、１２、１４、１６と、胴部の両側の開口部を塞ぐ２つの端面とを有する。上部側の端面は、対向する一対の内フラップ２０、２２に対向する一対の外フラップ２４、２６を糊付けすることによって構成されうる。下部側の端面は、対向する一対の内フラップ３０、３２に対向する一対の外フラップ３４、３６を糊付けすることによって構成されうる。
【００２０】
図１は、包装箱５０の開封操作の第１段階を示している。開封操作の第１段階では、外フラップ２４、２６を内フラップ２０、２２から剥がす。内容物が飲料製品（典型的には、缶入り飲料製品）である場合において、個々の飲料製品が分離している場合には、図１に示すような開封操作によっても比較的に容易に内容物を取り出すことができる。
【００２１】
図２は、包装箱５０の開封動作の第２段階を示している。開封動作の第２段階では、折込線４０が形成された側面１０の上部又はそれに連なる外フラップ２４を手前側に引っ張ることによって、折込線４０をヒンジとして側面１０の一部（扉部）１０ａを開く。このような第２段階は、例えば、内容物がマルチパックされた飲料製品である場合に有用である。マルチパックとは、複数の製品を包装材で包装したものであり、ビールや発泡酒等の飲料においては、６本の飲料製品を包装したものが一般的である。
【００２２】
図３〜図６は、包装箱５０の再封止操作を示している。本発明の好適な実施形態において、包装箱又は包装箱材５０は、少なくとも１つの内フラップ２２が特徴的な構成を有する。ここでは、一例として、内フラップ２０、２２、３０、３２のうち内フラップ２２のみが特徴的な構成を有する場合を説明する。ただし、内フラップ２０、３０、３２の全部又は一部が内フラップ２２と同様の構成を有していもよい。
【００２３】
図９に拡大して例示的に示されているように、内フラップ２２は、その先端側の辺の中央部に配置された第１把持片２２２と、中央部の両側に配置された一対の第２把持片２２４、２２６とを有する。第１把持片２２２は、先端側の辺から側面（内フラップ２２に連なった側面）１６に向かうに従って幅が狭くなった部分を含む耳部２２２ａ、２２２ｂを両側に有する。
【００２４】
一対の第２把持片２２４、２２６は、図９に例示的に示されるように、内フラップ２２の先端側の辺から側面（内フラップ２２に連なった側面）１６に向かうに従って幅が広がっている。
【００２５】
第１把持片２２２と一対の第２把持片２２４、２２６とは、鋭角の切欠２２７、２２８によって区切られている。このような切欠２２７、２２８に外フラップ２４、２６の対向部分が挿入されて保持されうる。内フラップ２２は、切欠２２７、２２８の深部から側面（内フラップ２２に連なった側面）１６に向かって折目線２３２、２３４を有することが好ましい。これによって、切欠２２７、２２８への外フラップ２４、２６の対向部分の挿入操作が容易になる。
【００２６】
外フラップ２４、２６の対向部分は、両者の間隔が広い部分２４ｂ、２６ｂと、間隔が狭い部分２４ｃ、２６ｃと、それらの中間部分２４ａ、２６ａとを有する。耳部２２２ａ、２２２ｂは、典型的には、中間部分（係合部）２４ａ、２６ａに係合される。
【００２７】
耳部２２２ａ、２２２ｂを一対の外フラップ２４、２６の対向部分（係合部）２４ａ、２６ａに引っ掛けることによって開封後に再び包装箱５０を箱状態に維持することができる。
【００２８】
再封止操作においては、まず、図３に例示的に示すように、まず、内フラップ２０を折り込んで、次いで、外フラップ２４、２６を閉じる。この際に扉部１０ａが閉じられる。
【００２９】
次いで、図４に例示的に示すように、外フラップ２４、２６の外側に被せるように内フラップ２２を折り込む。
【００３０】
次いで、図５に例示的に示すように、耳部２２２ａ、２２２ｂを一対の外フラップ２４、２６の対向部分（係合部）２４ａ、２６ａの下側に差し込む。この際に扉部１０ａを少しだけ手前に引くと操作が容易である。
【００３１】
次いで、図６及び図７に例示的に示すように、扉部１０ａが完全に閉じるように外フラップ２４、２６を両側から押さえつけることによって、箱材５０の再封止が完了する。
【００３２】
包装箱５０の再封止の状態は、第１把持片２２２の耳部２２２ａ、２２２ｂと第２把持部２２４、２２６とによって外フラップ２４、２６の対向部分（係合部）２４ａ、２６ａが把持されることによって安定的に維持される。第１把持片２２２と第２把持部２２４、２２６とが鋭角の切欠２２７、２２８によって区切られて構成されている場合、第１把持片２２２及び／又は第２把持部２２４、２２６が撓んだとしても、切欠き２２７、２２８内に外フラップ２４、２６の対向部分（係合部）２４ａ、２６ａが保持されるため、強い保持力によって把持状態が維持される。
【００３３】
このような再封止のための構成によれば、側面１０の扉部１０ａが開かれた後であっても、外フラップ２４、２６と内フラップ２２とを確実に係合させることができる。
【００３４】
図１０は、内フラップ２２の設計例を示す図である。ここで、Ａ〜Ｄは、例示的な数値であり、適宜変更することができる。その際において、Ａ（第１把持片２２２の最大幅）、Ｂ（第１把持片２２２の最小幅）は、Ａ−Ｂ≧６ｍｍを満たすように決定されることが好ましい。
【図面の簡単な説明】
【００３５】
【図１】本発明の好適な実施形態における包装箱の開封操作の第１段階を示している。
【図２】本発明の好適な実施形態における包装箱の開封操作の第２段階を示している。
【図３】本発明の好適な実施形態における包装箱の再封止の手順を示す図である。
【図４】本発明の好適な実施形態における包装箱の再封止の手順を示す図である。
【図５】本発明の好適な実施形態における包装箱の再封止の手順を示す図である。
【図６】本発明の好適な実施形態における包装箱の再封止の手順を示す図である。
【図７】本発明の好適な実施形態における包装箱が再封止された状態を拡大して示す図である。
【図８】本発明の好適な実施形態における包装箱材を概略的に示す図である。
【図９】本発明の好適な実施形態における包装箱材の再封止のための構成を拡大して示す図である。
【図１０】内フラップの設計例を示す図である。
【図１１】一般的な包装箱を開封した状態を示す図である。
【符号の説明】
【００３６】
１０  側面
１０ａ  扉部
１２、１４、１６  側面
２０  内フラップ
２２  内フラップ
２２２  第１把持片
２２２ａ、２２２ｂ  耳部
２２４、２２６  第２把持片
２３２、２３４  折目線
２４  外フラップ
２４ａ、２４ｂ、２４ｃ  対向部分
２６  外フラップ
２６ａ、２６ｂ、２６ｃ  対向部分
３０  内フラップ
３２  内フラップ
３４、３６  外フラップ
４０  折込線
５０  包装箱
【図１】
2007069955.tif 000003
【図２】
2007069955.tif 000004
【図３】
2007069955.tif 000005
【図４】
2007069955.tif 000006
【図５】
2007069955.tif 000007
【図６】
2007069955.tif 000008
【図７】
2007069955.tif 000009
【図８】
2007069955.tif 000010
【図９】
2007069955.tif 000011
【図１０】
2007069955.tif 000012
【図１１】
2007069955.tif 000013